(57)【特許請求の範囲】
【請求項１】
複数のチャンネル中から所望のチャンネルを選択し、選択されたチャンネルにおいて放送されている放送内容を受信できる受信部と、前記放送内容を表示する表示部と、該受信部が受信した前記放送内容を記憶する記憶部と、前記放送内容の受信期間又は受信タイミングに関する第１の規則と、受信するチャンネルに関する第２の規則と、に基づき、前記放送内容の一部を前記受信部から受信し、前記放送内容の一部と放送チャンネルとを対応させて前記表示部への受け待ち画像の表示方法又は受け待ちチャンネルに関する第３の規則、に基づいて、表示対象を前記表示部に表示させる制御を行い、前記記憶部に記憶させる制御部を有する携帯端末であって、
前記第１の規則、前記第２の規則及び前記第３の規則のうちの少なくとも一部を前記携帯端末の基地局からの命令によって設定及び変更可能とすることを特徴とする携帯端末。
【請求項２】
前記受信部による受信処理と前記制御部による表示処理とを択一的に選択可能とする請求項１に記載の携帯端末。
【請求項３】
前記放送内容の一部と放送チャンネルとを対応させて前記表示部に前記携帯端末の受け待ち画面として表示させる電子番組インデックス作成表示機能を有する請求項１又は２に記載の携帯端末。
【発明の詳細な説明】
【０００１】
【発明の属する技術分野】
本発明は、視聴者による各種放送番組の視聴に用いられる携帯端末及びそれを用いた情報配信システムに関する。
【０００２】
【従来の技術】
地上系の送受信システムには、移動電話システムとして、デジタル自動車電話等の携帯電話やＰＨＳ（Ｐｅｒｓｏｎａｌ  Ｈａｎｄｙｐｈｏｎｅ  Ｓｙｓｔｅｍ）等があり、それぞれの特徴を活かして広範囲に普及している。携帯電話やＰＨＳの送受信システムとしては、送受信周波数が８００ＭＨｚ／１５００ＭＨｚ、１９００ＭＨｚ、アクセス方式がＴＤＭＡ／ＦＤＤ、マルチキャリアＴＤＭＡ／ＴＤＤ、変調方式としてπ／４シフトＱＰＳＫが採用されている。
【０００３】
また、現在のアナログ放送に加えて、地上デジタルテレビ放送のサービスが提供される予定である。地上デジタル放送では、家庭での固定受信に加えて、自動車での移動受信や携帯端末での受信に適したサービスを受けることが可能となる。地上デジタルテレビ放送は、１チャンネルの電波を１３の帯域（セグメント）に分割してセグメントごとに伝送方式や伝送情報量を個別に設定できるようになっている。
【０００４】
従来のＢＳデジタルテレビ放送では、例えば放送番組の内容に関連した選択肢を提示して視聴者の選択を促すような制御用のスクリプトを伝送する等、映像と音声のみならず他の多様なデータをも伝送することが可能であり、視聴者参加型のいわゆる双方向番組の実現も容易となる。例えば、データ放送等で電子番組表（Ｅｌｅｃｔｒｉｃ  Ｐｒｏｇｒａｍ  Ｇｕｉｄｅ：以下「ＥＰＧ」と称する。）を表示させ、ＥＰＧに基づいて、各放送番組を選択し、選択された放送番組を視聴したり、電話回線を利用してアンケート等に回答したりすることが可能である。
【０００５】
【発明が解決しようとする課題】
地上デジタルテレビ放送が受信可能な携帯端末により、上記のデジタルテレビ放送におけるサービスを受ける場合には、文字データのみによるＥＰＧによれば、番組の概要はわかるが実際の番組内容のイメージを直感的に得ることが難しい。特に、携帯電話のように表示画面が小さい携帯端末では、ＥＰＧ情報の文字データを一覧することが難しいという問題がある。
【０００６】
また、ＥＰＧにより番組の概要を認識した後に、所望の番組を放送中のチャンネルを選局して放送されている映像を表示させても、表示させたタイミングによってはその番組を継続して試聴しなければその番組の概要を把握できない場合もある。試聴を継続している間は、デジタル放送用の放送受信部（チューナ、復調器等）に電力を供給する必要があり、電源容量の小さい携帯電話のような端末では、電力消費の無駄が問題となる。
【０００７】
同様に、他の番組にチャンネルを変えながら見たい番組をサーチする場合も、同様にデジタル放送用放送受信部等に電力を供給し続ける必要があり、電源容量の小さい携帯電話のような端末では問題がある。
本発明の目的は、携帯電話機等の移動受信端末において、デジタルテレビ放送を視聴するかどうかを判断するために適した情報の受信を行うとともに、その際に、省電力化を図る技術を提供することである。
【０００８】
【課題を解決するための手段】
本発明の一観点によれば、複数のチャンネル中から所望のチャンネルを選択し、選択されたチャンネルにおいて放送されている放送内容を受信できる受信部と、前記放送内容を表示する表示部と、該受信部が受信した前記放送内容を記憶する記憶部と、前記放送内容の受信期間に関する規則を含む第１の規則と受信するチャンネルに関する規則を含む第２の規則とに基づき、前記放送内容の一部を前記受信部により制御し、前記放送内容の一部と放送チャンネルとを対応させて前記記憶部に記憶する制御部とを有する携帯端末が提供される。
【０００９】
第１の規則とは、例えば、放送チャンネルと、放送の受信に関する規則であって、放送の受信期間と、受信タイミングとの少なくともいずれかをいかに選択するかに関する規則などである。放送チャンネルと、受信期間と、受信タイミングとの少なくともいずれかを選択することにより規定される規則である。
【００１０】
上記携帯端末によれば、複数のチャンネル中においてそれぞれ放送されている放送内容の一部と放送チャンネル（ＩＤ）とを対応させて記憶させることができ、放送内容の一部と放送チャンネルとを対応させた電子番組表を作成することが可能である。
【００１１】
テレビ放送受信時におけるチャンネルのスキャン方法や受信チャンネルに関する規則である第２の規則に基づいて、前記放送内容の一部を受信することができる。
受け待ち画像の表示などの出力方法に関する第３の規則により受け待ち画像を表示させれば、自作の電子番組のインデックスを、例えば表示画面全面に表示させることも可能である。
【００１２】
前記受信部の受信モードと前記制御部の出力モードとのいずれか一方を択一的に選択可能とする選択機能により、例えば、電子番組表を表示させている期間は、受信部に対して供給する電力を低減することができ、携帯端末全体の電力消費を少なくすることができる。
【００１３】
前記第１の規則、第２の規則及び第３の規則のうちの少なくとも１部を外部からの命令によって設定及び変更することもできる。
上記構成を有していれば、視聴者が意識しなくても、最新の電子番組表を自動的に作成することも可能である。この場合には、携帯端末に加えて、前記外部からの命令を出力する前記携帯端末の基地局を有するのが好ましい。
【００１４】
本発明の他の観点によれば、複数のチャンネルで放送されている情報を受信する受信部と放送内容を表示する表示部とを備えた携帯端末であって、前記複数のチャンネルの放送内容の一部をそれぞれ抽出し、前記放送内容の一部と放送チャンネルとを対応させて前記表示部に前記携帯端末の受け待ち画面として表示させる電子番組インデックス作成表示機能を有する携帯端末が提供される。
【００１５】
携帯端末の受け待ち画面に、電子番組インデックスを表示させることができる。受け待ち画面の表示を切り替えると、別のチャンネルの電子番組インデックスを表示するようにすれば、携帯端末の受け待ち画面を電子番組表として利用することができる。
【００１６】
本発明の他の観点によれば、放送されている情報を受信する受信部と放送内容を表示する表示部とを備えた携帯端末であって、前記放送の内容の一部を抽出し、該放送の内容の一部を前記携帯端末の受け待ち画面として前記表示部に表示させる制御部を有する携帯端末が提供される。
上記携帯端末によれば、放送内容の一部を取り出し、好みの受け待ち画面を表示させることができる。該当する放送を継続して受信することも可能である。
【００１７】
【発明の実施の形態】
本発明の実施の形態について説明する前に、発明の行った考察について説明する。発明者は、携帯性を重視するために表示画面の大きさをある程度までに抑える必要がある携帯端末（携帯電話、ＰＤＡなど）において、テレビ放送チャンネルの番組インデックスを効率良く作成し、表示画面に表示させることができれば便利であると考えた。
【００１８】
発明者は、実際に放送されている番組を受信し、プロファイル（第１の規則及び第２の規則）によって、テレビ放送チャンネル、受信間隔、受信期間等を設定し、そのプロファイルに従って、適当な間隔でテレビ放送受信部の電源をオンにし、記憶部にテレビ放送映像の一部、例えば映像データの一部を静止画として取り込み、それを携帯端末に記憶させることを思い付いた。複数の放送チャンネルが存在すれば、そのうちの所望のチャンネルに関して上記操作を行えばよい。
【００１９】
記憶部に記憶されている静止画を、プロファイル（第３の規則）によって、例えば携帯端末の受け待ち画面用の画像として用いれば、受け待ち中の携帯端末において、視聴者は、現在放送中の番組のインデックスを認識することができる。
【００２０】
チャンネル毎に異なる受け待ち画像を記憶させておけば、視聴者は、異なる画像を切り替えて表示させることにより、現在どのチャンネルにおいてどのような放送がなされているかを簡単に知ることができる。もちろん、受け待ち画面を切り替えないようにすることも可能である。
【００２１】
また、複数のチャンネルの放送番組の一部を受け待ち画像として記憶させ、複数の画面を含むマルチ画像を受け待ち画面として表示させるようにしても良い。受信部が受信を試みるチャンネル、タイミング及び期間や、受け待ち画面でいかなる画面（シングルの画面かマルチの画面か動画か）などの項目は、例えば視聴者（視聴者）が設定できるようにすれば便利である。
【００２２】
また、視聴者が望む場合に、上記の項目に関して外部からの命令（信号）により設定及び変更等ができるようにすれば、自動的に携帯端末の表示画面を利用した電子番組表を作成することができ、きわめて便利である。外部からの命令（信号）は、例えば、携帯端末が携帯電話であれば、携帯電話の基地局から送信されるのが好ましい。
上記の構成によれば、地上デジタルテレビ放送を受信可能な携帯端末において、受け待ち画像を見るだけで、現在放送されているテレビ番組の内容を直感的に知ることが可能となる。
【００２３】
また、テレビ番組を選択する場合においても、記憶された受け待ち画像を切り替えるだけで、テレビ番組の内容を知ることができ、テレビ番組を選択している間、テレビ放送受信部に電力を供給する必要がなく、携帯端末の低消費電力化が可能となる。
【００２４】
以下、上記考察に基づき、本発明の実施の形態について、図面を参照して説明する。
まず、本発明の第１の実施の形態について、図１から図６までを参照して説明する。
【００２５】
図１は、本発明の第１の実施の形態による情報配信システムの全体構成を示すシステム構成図である。
図１に示すように、情報配信システム１は、放送局２と携帯端末４とを有している。放送局２から配信された情報は、携帯端末４において受信され、表示部（ＬＣＤ）５などに表示される。表示部（ＬＣＤ）５は、受け待ち画像を含む各種の情報を表示することが可能であり、またテレビ放送の映像も表示することができる。
【００２６】
図１及び図２を参照して、携帯端末４、例えば携帯電話と放送局２との間の動作を説明する。この場合、放送局２から常時テレビ放送が行われているものと想定する（図２の▲２▼）。一方、携帯電話４は、まず、▲１▼のプロファイル設定処理において、視聴者（ユーザ）がテレビ放送を受信する期間及び受信処理を行うタイミング（間隔）等を設定する。
【００２７】
設定されたプロファイルに従って、携帯端末４がテレビ放送を一時的に受信する（▲３▼：テレビ放送一時受信処理）。この際、テレビ放送された画像を携帯端末４内に記憶する（▲４▼：画像記憶処理）。テレビ放送の画像を記憶した後には、さらにテレビ放送を受信し続ける必要がないため、携帯端末４は、テレビ放送の受信を中断する。テレビ放送の受信を中断すれば、携帯端末４の電力消費を抑制することができる。記憶された画像は、携帯端末の受け待ち画像としても利用することができるようになっている。従来の受け待ち画像を記憶された画像に変更する処理を行うことにより（▲５▼：受け待ち画像変更処理）、視聴者は、表示画面上で放送されている番組の最新のインデックス画面を見ることができる。
【００２８】
設定されたプロファイルには、テレビ放送を受信するか否か、受け待ち画面を変更するか否かなどの項目を設定することができる。テレビ放送を受信しないように設定した場合には、図２に示す動作は行われない。受け待ち画面を変更しないように設定した場合には、テレビ放送を受信しても受け待ち画面の変更は行われない。この際、記憶された画像を、視聴者が手動操作により表示画面上に表示させることにより、受信した画像を確認することができる。尚、複数チャンネルの放送に関して、チャンネルごとにチャンネルＩＤと対応させて画像を記憶させておき、チャンネルごとの画像を順次表示させることも可能である。
【００２９】
次いで、プロファイルで設定されたテレビ放送の受信間隔後に、常時放送されているテレビ放送（▲６▼）を一時的に受信する（▲７▼：テレビ放送一時受信処理）。その画像データを記憶し（▲８▼：画像記憶処理）、受け待ち画像を変更（更新）する（▲９▼：受け待ち画像変更処理）。以後、▲７▼から▲９▼までの処理を繰り返す。
【００３０】
図３（ａ）から（ｃ）は、第１から第３の規則（プロファイル）の具体的な内容の一例を示す図である。図３（ａ）は、第１の規則（第１のプロファイル）、図３（ｂ）は、第２の規則（第２のプロファイル）、図３（ｃ）は第３の規則（第３のプロファイル）を例示する図である。
【００３１】
図３（ａ）に示すように、第１の規則（第１のプロファイル）は、設定項目として第１のプロファイルを有効にするか無効にするかの第１の選択項目３１と、放送受信間隔に関する第２の選択項目３２と、放送受信期間に関する第３の選択項目３３とを有している。すなわち、第１の規則は、放送の受信時間を含む規則を規定する。
【００３２】
第１の選択項目３１は、第１のプロファイルを有効にする方がデフォルトとして設定されている（下線が付されている。）。第２の選択項目（放送受信間隔）３２は、例えば、１０分、３０分及び６０分が設けられている。この放送受信間隔３２は、図２に示す「▲３▼のテレビ放送一時受信」から次の「▲７▼のテレビ放送一時受信」までの間の時間間隔を設定する。第３の選択項目（放送受信期間）３３は、例えば１秒、５秒、又は１０秒などの選択項目を有している。これらの期間中、画像を受信する。もちろん、上記の各設定項目を任意の値に設定できるように構成されていても良い。
【００３３】
尚、上記第１から第３までの設定項目の他に、外部トリガー３４という設定項目が設けられており、これと関連して、第２の選択項目（放送受信間隔）３２と、第３の設定項目（放送受信期間）には、チェックボタンＢ１、Ｂ２がそれぞれ設けられている。これらの構成については、第２の実施の形態において詳細に説明する。
【００３４】
図３（ｂ）に示すように、第２の規則（第２のプロファイル）は、設定項目として第２のプロファイル３６を「有効にする」と「無効にする」との第４の選択項目３６と、チャンネルスキャンを行わない（固定）とスキャンを行うとの第５の選択項目３７と、受信チャンネルに関する第６の設定項目３８（図では、１ｃｈと２ｃｈと３ｃｈ）が設けられている。デフォルト値は、下線が付された第４から第６までの各項目の第１番目の選択項目である、「有効にする」、「固定」及び「１ｃｈ」が選択されている。すなわち、第２の規則は、テレビ放送受信時におけるチャンネルスキャンの方法や受信チャンネルなどのチャンネルに関する事項を規定する。
【００３５】
但し、第２のプロファイルを有効にするか無効にするかに関する選択は、第１のプロファイルを有効にするか無効にするかの選択と連動している。すなわち、一方を有効又は無効に設定すれば、他方もそれと同じ方が選択されるようになっている。
【００３６】
チャンネルスキャン３７を固定にするかスキャンにするかにより、図２に示す「▲３▼テレビ放送一時受信」及び「▲７▼テレビ放送一時受信」の処理として、放送を受信するチャンネルを固定して放送の一時受信を行うか、或いは放送受信チャンネルをスキャンしつつ放送の一時受信を行うかを指定することができる。
【００３７】
ここで、固定を選択した場合は、受信チャンネル３８において、放送を一時的に受信するチャンネルを指定する。チャンネルスキャン３７において、スキャンを選択した場合には、受信チャンネル３８でスキャンしたいチャンネルを複数指定する。
また、第２のプロファイルにおいても、第１のプロファイルと同様に外部トリガー３９の設定項目があり、チャンネルスキャン３７及び受け待ちチャンネル３８にチェックボタンＢ３及びＢ４が設けられている。外部トリガー項目３９については、第２の実施の形態において説明する。図３（ｂ）においても、外部トリガー項目３９はチェックされておらず、外部トリガーは使用されない。視聴者が各プロファイルの項目を設定することになる。
【００３８】
図３（ｃ）に示すように、第３の規則（第３のプロファイル）は、設定項目として、第３のプロファイル４０に関する項目であって、第３のプロファイルを有効にするか無効にするかの選択項目と、受け待ち画像表示方法４１に関する項目と、受け待ちチャンネル４２に関する項目とが設けられている。すなわち、第３の規則は受け待ち画像の表示に関する規定を含む。
【００３９】
図３（ａ）及び図３（ｂ）に示す第１及び第２の規則と同様に、第３の規則においても、デフォルト値は、例えば各項目の１番目の選択項目である、第３のプロファイルを「有効にする」、受け待ち画像表示として「静止画像」を選択する、受け待ち画像受信用チャンネルとして「１ｃｈ」が選択されている。
【００４０】
ここで、第３のプロファイル４０を有効にするか無効にするかの選択は、第１のプロファイル３１及び第２のプロファイル３６を有効にするか無効にするかの選択とは独立に指定することが可能である。すなわち、放送映像を一時受信した場合でも、受け待ち画面に表示しないようにすることも可能である。受け待ち画像表示方法４１の項目は、図２における「▲５▼受け待ち画像変更」及び「▲９▼受け待ち画像変更」において、受け待ち画像の表示方法を指定する項目である。この項目のうち「静止画像」を選択した場合は、静止画像を表示する。「マルチ画像」を選択した場合は、複数の静止画像を表示画面中において４画面等に分割して並べ同時に表示することができる。「動画」を選択した場合には、動画表示を行う。受け待ちチャンネル４２の項目は、受け待ち画像として表示するチャンネルを選択する項目である。但し、上記第２のプロファイルで指定した受け待ちチャンネルで指定した受信チャンネルの中からのみ選択できる。例えば、第２のプロファイルのチャンネルスキャン３７で固定を選択し、受信チャンネル３８で１ｃｈを指定した場合には、第３のプロファイルの受け待ちチャンネルの項目は自動的に１ｃｈが指定される。
【００４１】
図４及び図５は、本発明の一実施の形態による携帯端末の動作を示すフローチャート図である。
図４及び図５に示すように、ステップ５１において処理を開始する。次いで、ステップ５２においてプロファイルの設定５２を行うか否かを判断する。プロファイルの設定を行う旨の判断を行った場合には、ステップ５４で、視聴者が、図３で説明した各プロファイルの項目を指定し、選択プロファイルの設定５４を行う。ステップ５２において、視聴者がプロファイルを指定しない場合には、ステップ５３に進み、デフォルト値のプロファイルが設定される。
【００４２】
ステップ５５において、携帯端末によるテレビ放送の一時受信を行うか否かの判断を行う。ステップ５５においてテレビ放送を一時受信する旨の判断をした場合には、ステップ５６で第１の規則に従って、ステップ５７で第２の規則に従って動作し、これら第１及び第２の規則に従ってテレビ放送を一時受信する。
【００４３】
ステップ５８で、一時受信したテレビ放送の映像データを携帯端末内に記憶させる。ステップ５９に進み、受け待ち画像表示を行うか否かの判断を行う。ステップ５９において、受け待ち画像（画面）の表示を行うと判断した場合には、ステップ５８において記憶した画像データを、ステップ６０において第３の規則６０に従って受け待ち画像に変更し、図５のステップ７３に進む。一方、ステップ５９において、受け待ち画像表示の表示しない旨の判断を行った場合には、そのままステップ７３に進む。
尚、例えば、受け待ち画像を常時表示する場合の他に、視聴者が何らかの操作（例えばキー操作）を行った場合に受け待ち画像として表示させるように構成することも可能である。
【００４４】
次に、ステップ７３において、外部トリガーを使用するか否かを判断する。ステップ７３において、外部トリガーを使用しない場合には、外部トリガーを使用する場合には、図９のステップ１１に進む。この場合については、後述する第２の実施の形態において詳細に説明する。
【００４５】
ステップ７３において、外部トリガーを使用しない場合と判断した場合には、ステップ６２において視聴者が設定変更のための動作を行うか否かを判断する。ステップ６２において、視聴者設定変更を行わないと判断した場合には、ステップ５５（図４）に戻る。ステップ６２において、視聴者操作で視聴者が何らかの操作を行うと判断した場合には、ステップ６３において、テレビ放送を視聴するためにチャンネルを選択する操作を行ったかどうかが判断される。
【００４６】
チャンネル選択の操作を行っていない場合には、ステップ６４に進み、プロファイルの変更が行われたか否かを判断する。ステップ６４において、プロファイルの変更が無いと判断された場合には、ステップ５５に戻る。
ステップ６４において、プロファイル変更があると判断された場合には、ステップ６５において、変更したプロファイルに設定することにより、プロファイルの変更を以後の処理に反映させ、ステップ５５に戻る。
【００４７】
一方、ステップ６３において、視聴者がテレビ放送を視聴するためにチャンネルを選択した場合には、ステップ６７において第３の規則に従って携帯端末の画面上に、記憶したテレビ放送の画像を表示する。次に、ステップ６８において、視聴者が実際にチャンネルを選択するのか否かを判断する。視聴者が実際にチャンネルを選択するのではなく、記憶されているテレビ放送の画像を表示しながらチャンネルを選択する場合には、ステップ６７に戻る。
【００４８】
ステップ６８において、視聴者が実際にチャンネルを選択する場合には、ステップ６９に進み携帯端末の放送受信部の電源をオンし、ステップ７０において放送映像を表示する。ステップ７１において、ステップ７２で一連の処理を終了するか否かを判断し、一連の処理を終了しない場合には、ステップ７３に戻る。終了する場合には、ステップ７２において処理を終了する。
以下に、上記携帯端末の構成について説明する。
【００４９】
図６は、本発明の第１の実施の形態による携帯端末の構成を示す図である。図６に示すように、本実施の形態による携帯端末４は、アンテナ８２と、テレビ放送受信部８３と、画像記憶部８４と、液晶表示装置（ＬＣＤ）８５と、バス８６と、制御回路８７と、プロファイル記憶部８８と操作部８９とを含んで構成される。
【００５０】
携帯端末４において、アンテナ８２を介してテレビ放送受信部８３によりテレビ放送が受信される。受信されたテレビ放送の一部画像は、画像記憶部８４に記憶される。画像記憶部８４に記憶された画像を、受け待ち画像としてＬＣＤ８５に表示させることができる。
【００５１】
テレビ放送受信部８３の電源のオン・オフ処理とテレビ放送の画像の一部の取り込み処理とに関しては、プロファイル記憶部８８に記憶されているプロファイルに従い制御回路８７によって制御される。また、画像記憶部８４に記録されたテレビ放送の一部を取り込んだ画像は、操作部８９を操作することにより、ＬＣＤ８５に表示することが可能である。
【００５２】
以上に説明したように、本発明の第１の実施の形態による携帯端末によれば、携帯端末の受け待ち画像を、現在放送されているテレビ番組の最新の内容に基づく画像に更新して表示することができる。従って、視聴者は、受け待ち画像を見ることにより、テレビ番組の内容を直感的に知ることが可能となる。さらに、テレビ放送の一部を取り込む際にのみ、テレビ放送受信部の電源を入れれば良いため、携帯端末の低消費電力化が可能となる。
【００５３】
加えて、テレビ番組を選択する場合においても、複数チャンネルから記憶された画像を切り替えるだけで、テレビ番組の内容を知ることができ、テレビ番組を選択している間、テレビ放送用の放送受信部に電力を供給する必要がなく、同様に携帯端末の低消費電力化が可能となる。
次に、本発明の第２の実施の形態による携帯端末について図７から図１０までを参照して説明する。
【００５４】
図７は、本発明の第２の実施の形態による情報配信システムの全体構成を示す図である。図７に示す情報配信システム９１は、図１に示した情報配信システム１に加えて、携帯電話基地局９７を追加した構成に有している。
本実施の形態による情報配信システム９１において、放送局９２は、テレビ放送９３を送信しており、携帯端末９４は、そのテレビ放送９３を受信することができる。携帯端末９４の表示画面であるＬＣＤ９５は、各種情報（含受け待ち画像）の表示が可能であり、またテレビ放送の映像も表示させることが可能である。一方、放送局９２から携帯電話基地局９７へ、現在放送中のテレビ番組の内容、例えば通知９６の形式を送信し、さらに携帯電話基地局９７から携帯端末９４に対して現在放送中のテレビ番組の内容を、例えば同様に通知９８の形式で送信する。
【００５５】
図１に示した情報配信システム１では、プロファイルで予め設定した情報により、一定の間隔でテレビ放送の一部の画像を取り込む。これに対して、図７を参照して説明される本実施の形態による情報配信システム９１は、通知（９６、９８）がなされた際に、テレビ放送の一部を受け待ち画像として取り込む。
【００５６】
上記の通知（９６、９８）は、例えばＥＰＧのような電子番組表を送信することで行うことも可能であるが、通知時間を短くすること及び携帯端末の性能（データ容量はあまり大きくできないこと。）を考慮し、データ量の小さい方が好ましい。上記通知は、例えば、特別なパルス信号によるものでも良い。
【００５７】
図８を参照して、携帯端末９４の受け待ち画面の情報取り込み方法について説明する。
まず、放送局９２が携帯電話基地局９７に通知を行い、さらに携帯電話基地局９７が携帯端末９４に通知を行う。この際に、テレビ放送を受信可能な携帯端末（携帯電話）９４が、テレビ放送の一部画像を取り込んで受け待ち画像として記憶及び表示する場合の時系列の動作を説明する図である。
図８に示すように、放送局９２からは常時テレビ放送▲４▼が行われており、定期的に通知▲２▼（ＥＰＧ）を携帯電話基地局９７に送信している。また、携帯電話基地局９７は、定期的に通知▲３▼（ＥＰＧ）を携帯端末９４に送信する。
【００５８】
▲１▼のプロファイル設定ステップにおいて、携帯端末９４を使用している視聴者（ユーザ）が、図３（ａ）に示す第１のプロファイルとしてテレビ放送を一時受信する間隔を外部トリガーとして指定したものとする。この場合において、携帯電話基地局９７より携帯端末９４に▲３▼通知（ＥＰＧ）が送信されてきた時、携帯端末９４のテレビ放送受信部の電源を入れると、第１のプロファイル及び第２のプロファイルの設定に従って、上記第１のプロファイルにおいて定められた時間内に常時放送されているテレビ放送▲４▼を一時受信し（▲５▼テレビ放送一時受信）、受信したテレビ放送の画像を携帯端末９４内に記憶する（▲６▼画像の記憶）。
【００５９】
テレビ放送の画像が記憶されると、受け待ち画面のデータを記憶するという点においては、それ以降までテレビ放送を受信する必要はない。むしろ、携帯端末９４の低消費電力化のため、テレビ放送受信部の電源を切るという処理を並行して行うのが好ましい。携帯端末９４に記憶された画像データは、携帯端末９４の受け待ち画像としても利用され、上記第３のプロファイルにしたがって、受け待ち画像を最新のテレビ放送の画像に変更することができる（▲７▼待受画像変更）。
【００６０】
さらに、携帯電話基地局９７より通知▲２▼’（ＥＰＧ）が送信されてきた時、常時放送されているテレビ放送▲４▼’を再び受信し（▲７▼テレビ放送一時受信）、その画像を記憶し（▲８▼画像記憶）、受け待ち画像を変更すること（▲９▼待受画像変更）もできる。上記▲２▼’から▲９▼までの処理を繰り返すこともできる。
【００６１】
図３（ａ）における放送受信間隔３２以外の設定項目の外部トリガーについても、同様に携帯電話基地局１０２より通知（ＥＰＧ）が送信されてきた時（▲３▼通知（ＥＰＧ））、上記の動作に対応する動作を行うことにより、放送局９２又は携帯電話基地局９７からの通知がなされた場合に、受け待ち画像の作成又は更新を行うことができる。
【００６２】
図９は、本実施の形態による情報配信システムにおける携帯端末９４の動作を示すフローチャートである。図９のフローチャートは、図５に示すフローチャートにおいて外部トリガーを選択した場合（Ｃ）に接続される図である。
【００６３】
まず、ステップ１１１において、携帯電話基地局９７より通知（ＥＰＧ）が送信されてくる。その際に、送信されたデータがＥＰＧに該当するものであるか否かの判断を行う。送信されたデータがＥＰＧに該当するものではない場合には、単なる外部トリガーとして判断し、ステップ１１４において外部トリガーの内容を解析し、ステップ１１５において外部トリガーの指示に従いプロファイルを書き換える。
【００６４】
外部トリガーによるプロファイルの書換え処理は、例えば、即時放送映像取込み等の設定を行い、ステップ５５（図４）に戻る処理である。ステップ１１１において、送信されたデータがＥＰＧに該当するデータである場合には、ステップ１１２においてＥＰＧの内容を解析し、ステップ１１３においてＥＰＧの内容に従って各プロファイルの項目の書換えを行う。
【００６５】
尚、この際、ＥＰＧのデータそのものを携帯端末９４内に保存しておいても良い。ステップ１１１において、送信されたデータがＥＰＧであるか否かにかかわらず、上述した処理を行った後、図４及び図５に示すように、ステップ５５（Ｂ）に戻る。
【００６６】
図１０は、本発明の第２の実施形態による携帯端末の構成を示す機能ブロック図である。図１０に示すように、携帯端末９４は、アンテナ１２２と、テレビ放送受信部１２３と、画像記憶部１２４と、ＬＣＤ１２５と、バス１２６と、制御回路１２７と、プロファイル記憶部１２８と、操作部１２９と、電話用のアンテナ１３０と電話送受信部１３１とを含んで構成されている。図１０の携帯端末９４は、図６に示す第１の実施の形態による携帯端末４に加えて、電話用のアンテナ１３０と電話送受信部１３１を有している点において異なる。
【００６７】
現在放送中のテレビ番組の内容又は受け待ち画像として取り込むタイミングを通知する信号に関しては、アンテナ１３０及び電話送受信部１３１により受信する。この信号を受信した場合に、制御回路１２７がテレビ放送受信部１２３の電源をオンし、テレビ放送の画像データを取り込み、取り込んだ画像データを画像記憶部１２４に記憶する。この際、取り込んだ画像を受け待ち画像として、ＬＣＤ１２５に表示する。尚、以上の処理は、第１の実施の形態によるシステムと同様に、プロファイル記憶部１２８に記憶されたプロファイルに従って行われる。
【００６８】
以上説明したように、本実施の形態による放送配信システムにおいては、通信経由の通知により、携帯端末の受け待ち画像が現在放送されているテレビ番組の最新の内容に更新して、表示される。
従って、受け待ち画像を見るだけでテレビ番組の内容を直感的に知ることが可能となる。さらに、テレビ放送の一部を取り込む際にのみテレビ放送受信部の電源を入れるだけで良いため、携帯端末の低消費電力化が可能となる。さらに、テレビ番組を選択する場合においても、複数チャンネルから記憶された画像を切り替えるだけでテレビ番組の内容を知ることができる。テレビ番組を選択している間は、テレビ放送用チューナに電力を供給する必要が無く、携帯端末の低消費電力化が可能となる。
【００６９】
特に、本実施の形態においては、通信経由の通知によりテレビ放送の画像の取り込みが行われるため、受け待ち画像として有効な画像を選択することができる。また、通信経由の通知によりテレビ放送受信部の電源のオン・オフが行われるため、携帯電話の低消費電力化にも有効である。
【００７０】
尚、上記実施の形態においては、携帯端末への放送画像の表示を例にして説明したが、画像以外に音声情報などを対象にした音楽番組表を対象としても良い。例えば、音楽放送における音声の一部を受信し、受信した一部の音楽情報のそれを携帯端末に記憶させることもできる。これらのデータを、携帯端末用の着信メロディとして利用することも可能である。
以上、実施の形態に沿って本発明を説明したが、本発明はこれらに制限されるものではない。その他、種々の変更、改良、組み合わせが可能なことは当業者に自明であろう。
【００７１】
【発明の効果】
以上説明したように、本発明の携帯端末によれば、プロファイル（第１の規則及び第２の規則）に従って、テレビ放送チャンネル、受信間隔、受信期間等を設定し、そのプロファイルに従って、携帯端末の受け待ち画像をテレビ放送の内容によって切り替えたり、または不変にしたりすることができる。従って、視聴者が番組を選択する際に、視聴するかどうかの判断を直感的にすることができる。
【００７２】
また、上記のプロファイル（第１所定の規則及び第２所定の規則）によって複数のチャンネルの放送番組の一部を受け待ち画像として記憶し、プロファイル（第３の規則）によってその受け待ち画像を表示する。これにより、視聴者が番組選択の際、デジタルテレビ放送受信部（チューナ、復調器等）の電源を入れる必要がないため、携帯電話の低消費電力化が可能となる。
【００７３】
さらに、プロファイル（第１の規則、第２の規則及び第３の規則）の少なくとも一部の項目に関して、視聴者によって設定及び変更等が可能であるため、視聴者の好みに応じてプロファイルを変更でき、プロファイルを無効にすることもできる。
【００７４】
加えて、プロファイル（第１の規則、第２の規則及び第３の規則）の少なくとも一部の項目が、外部からの情報によって設定及び変更等を可能にすることもでき、外部からの情報が、携帯電話基地局などから送信されるようにすることができる。従って、テレビ放送映像を取り込むタイミングを決めたり、また最新の情報（ＥＰＧ等）を取り込み、プロファイルの項目を最新の情報に対応させたりすることもできる。
また、携帯電話基地局から送信された最新の情報（ＥＰＧ等）を取り込むことにより、デジタルテレビ放送受信部（チューナ、復調器等）の電源を入れる必要がないため、携帯電話の低消費電力化が可能となる。
【図面の簡単な説明】
【図１】  本発明の第１の実施の形態による情報配信システムを示す全体構成図である。
【図２】  本発明の第１の実施の形態による情報配信システムにおいて、携帯端末と放送局との間でのやりとりを時系列的に示すた図である。
【図３】  本発明の第１の実施の形態による携帯端末のプロファイルの説明図である。
【図４】  本発明の第１の実施の形態による携帯端末の処理の流れを示すフローチャートである。
【図５】  本発明の第１の実施の形態による携帯端末の処理の流れを示すフローチャートであり、図４に続く図である。
【図６】  本発明の第１の実施の形態による携帯端末の構成図である。
【図７】  本発明の第２の実施の形態による情報配信システムの全体構成図である。
【図８】  本発明の第２の実施の形態による携帯端末と放送局との間でのやりとりを時系列的に示す図である。
【図９】  本発明の第２の実施の形態による情報配信システムの処理の流れを示すフローチャートである。
【図１０】  本発明の第２の実施の形態による携帯端末の構成を示す図である。
【符号の説明】
１… 情報配信システム、２… 放送局、３… テレビ放送、４… 携帯端末、５… ＬＣＤ、３１… 第１のプロファイル項目、３２… 放送受信間隔項目、３３… 放送受信期間項目、３４、３９、４３… 外部トリガー、Ｂ１〜Ｂ６…外部トリガーのチェックボタン、３６… 第２のプロファイル項目、３７… チャンネルスキャン項目、３８… 受け待ちチャンネル項目、４０… 第３のプロファイル項目、４１… 受け待ち画像表示方法項目、４２… 受け待ちチャンネル項目、８２… アンテナ、８３… テレビ放送受信部、８４… 画像記憶部、８５… ＬＣＤ、８６… バス、８７… 制御回路、８８… プロファイル記憶部、８９… 操作部、９１… 情報配信システム、９２… 放送局、９３… テレビ放送、９４… 携帯端末、９５… ＬＣＤ、９６、９８… 通知（ＥＰＧ）、９７… 携帯電話基地局、１２２、１３０… アンテナ、１２３… テレビ放送受信部、１２４… 画像記憶部、１２５…ＬＣＤ、１２６… バス、１２７… 制御回路、１２８… プロファイル記憶部、１２９… 操作部、１３１… 電話送受信部。
【図１】
0004203256.tif 000002
【図２】
0004203256.tif 000003
【図３】
0004203256.tif 000004
【図４】
0004203256.tif 000005
【図５】
0004203256.tif 000006
【図６】
0004203256.tif 000007
【図７】
0004203256.tif 000008
【図８】
0004203256.tif 000009
【図９】
0004203256.tif 000010
【図１０】
0004203256.tif 000011